(57)【要約】【課題】広い範囲で和らいだ風を吹出すことができるルーバー装置と該ルーバー装置を用いる送風アセンブリの提供。【解決手段】複数の羽板２は、風の進入側から吹出し側へ延伸する軸線Ｘ、及び固定枠３内にある軸線Ｘと直交する仮想平面Ｙを基準として、二組以上に分けられ、仮想平面Ｙにて同じ組の羽板２１／２２と互いに間をあけて軸線Ｘから段々離れるように平行に排列して固定枠３に固定されていると共に、いずれも仮想平面Ｙに延伸する長さ方向と、前記長さ方向と直交し且つ進入側端縁２１１／２２１から吹出し側端縁２１２／２２２まで延伸する幅方向とを有する長尺状に形成されており、軸線Ｘと各羽板２との距離は、いずれも羽板２の吹出し側端縁２１２／２２２と軸線Ｘとの最短距離が、羽板２の進入側端縁２１１／２２１と軸線Ｘとの最短距離より長くなっていることを特徴とするルーバー装置を提供する。【選択図】図４
0003189194.tif 000002
【実用新案登録請求の範囲】
【請求項１】
風がその進入側から吹出し側へ進行してその枠内を通過する固定枠と、前記固定枠の枠内に配置され、前記固定枠の枠内を通過する風の進行方向を微調整する複数の羽板とを有するルーバー装置であって、
前記複数の羽板は、前記進入側から前記吹出し側へ延伸する所定の軸線、及び前記固定枠の枠内にある前記所定の軸線と直交する所定の仮想平面を基準として、少なくとも二組に分けられ、前記所定の仮想平面で同じ組の羽板とそれぞれ互いに間をあけて前記所定の軸線から段々離れるように前記所定の仮想平面にて延伸する長さ方向が互いに平行に排列して前記固定枠に固定されていると共に、いずれも前記長さ方向と、前記長さ方向と直交し且つ前記進入側寄りの端縁から前記吹出し側寄りの端縁まで延伸する幅方向とを有する長尺状に形成されており、
前記所定の軸線と各前記羽板との距離は、いずれも該当の前記羽板の前記吹出し側の端縁と前記所定の軸線との最短距離が、該当の前記羽板の前記進入側の端縁と前記所定の軸線との最短距離より長くなっていることを特徴とするルーバー装置。
【請求項２】
前記固定枠は円環状に形成されており、前記所定の軸線は前記円環の円心を通過することを特徴とする請求項１に記載のルーバー装置。
【請求項３】
各前記複数の羽板それぞれの幅方向における延伸面と前記所定の軸線との成す鋭角の角度と、各前記複数の羽板それぞれと前記所定の軸線との距離とは、正の相関であることを特徴とする請求項２に記載のルーバー装置。
【請求項４】
前記複数の羽板は、前記進入側から前記吹出し側へ延伸する所定の軸線、及び前記固定枠の枠内にある前記所定の軸線と直交する所定の仮想平面を基準として二組に分けられており、
更に、各前記複数の羽板それぞれの幅方向における延伸面と前記所定の軸線との成す鋭角とは、全て５°〜７５°の範囲内にあることを特徴とする請求項３に記載のルーバー装置。
【請求項５】
請求項２〜４のいずれか一項に記載のルーバー装置と、
前記ルーバー装置が有する前記固定枠の枠内を通過する風を生成する風生成手段と、
回転軸を有し、前記回転軸を回転させることによって駆動力を出力する回転駆動手段とを有し、
前記ルーバー装置は、前記固定枠の前記円環の円心に該当する箇所に、前記固定枠と連結している取付けブロックを更に有すると共に、前記取付けブロックが回転駆動手段の前記回転軸に取り付けられていて前記固定枠が前記回転駆動手段により回転駆動されることができることを特徴とする送風アセンブリ。
【考案の詳細な説明】
【技術分野】
【０００１】
本考案はルーバー装置と該ルーバー装置を用いる送風アセンブリに関する。
【背景技術】
【０００２】
従来のルーバー装置が用いられている送風アセンブリとしては、例えば図１に示されている扇風機１０が挙げられる。また、図２は図１に示される扇風機１０に取付けられているルーバー装置１の機能が示されている説明図である。図示のように、家庭で一般に使用される扇風機１０に取付けられているルーバー装置１は、円環状であり、軸線１００で回転自在に扇風機１０に取付けられている固定枠１１と、固定枠１１の内周面にそれぞれ互いに間をあけて、軸線１００から段々離れるように平行に排列して固定枠１１に固定されている複数の長尺状の羽板１２とを具えている。
【考案の概要】
【考案が解決しようとする課題】
【０００３】
上記の構成によれば、固定枠１１は軸線１００を回転軸として回転することによって、風の進行方向を変えられるが、すべての羽板１２は互いに平行に配置されているため、各羽板１２と軸線１００の成す角の角度が全て同一なので、図２に示されているように破線の矢印で示される風が吹出される角度も殆ど同じである。
【０００４】
従って、従来のルーバー装置を用いる扇風機などの送風アセンブリを使用する場合、たとえ風が吹出される方向が軸線１００を回転軸とする回転に応じて変えられたとしても、全ての風はひとつの方向にしか吹出せないので、例えば風向を人体に向けると全ての風が人体に当たるように集中する。これにより、長い時間風を人体に当てていると、人体から空気に転移する熱の量が多すぎて、時間が経つと知らずのうちに頭痛や風邪など体の不具合が起こりやすいという欠点がある。
【０００５】
上記問題点に鑑みて、本考案は風の進行方向を少なくとも二組に分けて人体に当る風を更に和らげ、かつ風が人に当たる間に人体から空気に転移する熱の量が、従来のルーバー装置を用いる扇風機などの送風アセンブリを使う場合より少なくすることができるルーバー装置と該ルーバー装置を用いる送風アセンブリの提供を目的とする。
【課題を解決するための手段】
【０００６】
上記目的を達成すべく、本考案は、風がその進入側から吹出し側へ進行してその枠内を通過する固定枠と、前記固定枠の枠内に配置され、前記固定枠の枠内を通過する風の進行方向を微調整する複数の羽板とを有するルーバー装置であって、前記複数の羽板は、前記進入側から前記吹出し側へ延伸する所定の軸線、及び前記固定枠の枠内にある前記所定の軸線と直交する所定の仮想平面を基準として、少なくとも二組に分けられ、前記所定の仮想平面にて同じ組の羽板とそれぞれ互いに間をあけて前記所定の軸線から段々離れるように前記所定の仮想平面にて延伸する長さ方向が互いに平行に排列して前記固定枠に固定されていると共に、いずれも前記長さ方向と、前記長さ方向と直交し且つ前記進入側寄りの端縁から前記吹出し側寄りの端縁まで延伸する幅方向とを有する長尺状に形成されており、更に、前記所定の軸線と各前記羽板との距離は、いずれも該当の前記羽板の前記吹出し側の端縁と前記所定の軸線との最短距離が、該当の前記羽板の前記進入側の端縁と前記所定の軸線との最短距離より長くなっていることを特徴とするルーバー装置を提供する。
【０００７】
上記のルーバー装置において、前記固定枠は円環状に形成されており、前記所定の軸線は前記円環の円心を通過することが好ましい。
【０００８】
上記のルーバー装置において、各前記複数の羽板それぞれの幅方向における延伸面と前記所定の軸線との成す鋭角の角度と、各前記複数の羽板それぞれと前記所定の軸線との距離とは、正の相関であることが好ましい。
【０００９】
上記のルーバー装置において、前記複数の羽板は、前記進入側から前記吹出し側へ延伸する所定の軸線、及び前記固定枠の枠内にある前記所定の軸線と直交する所定の仮想平面を基準として二組に分けられており、更に、各前記複数の羽板それぞれの幅方向における延伸面と前記所定の軸線との成す鋭角とは、全て５°〜７５°の範囲内にあることが好ましい。
【００１０】
また、本考案は、上記のルーバー装置と、前記ルーバー装置が有する前記固定枠の枠内を通過する風を生成する風生成手段と、回転軸を有し、前記回転軸を回転させることによって駆動力を出力する回転駆動手段とを有し、前記ルーバー装置は、前記固定枠の前記円環の円心に該当する箇所に、前記固定枠と連結している取付けブロックを更に有すると共に、前記取付けブロックが回転駆動手段の前記回転軸に取り付けられていて前記固定枠が前記回転駆動手段により回転駆動されることができることを特徴とする送風アセンブリを提供する。
【考案の効果】
【００１１】
上記の構成によれば、本考案のルーバー装置は、独創的な羽板配列方向を用いて風を二つ以上の方向に案内して吹出すことができる、更に、本考案のルーバー装置の羽板の配列方向は同じ方向に吹出される風をさらに拡散させるように案内して吹出すことによって、従来のルーバー装置より広い範囲で更に和らいだ風を吹出すこともできる。
【００１２】
したがって、本考案は風の進行方向を少なくとも二組に分けて人体に当たる風を更に和らげ、かつ風が人に当たる間に人体から空気に転移する熱の量が、従来のルーバー装置を用いる扇風機などの送風アセンブリを使う場合より少なくすることができるルーバー装置と該ルーバー装置を用いる送風アセンブリを提供できる。これにより、従来のルーバー装置を用いる扇風機などの送風アセンブリのような、長時間吹かれると、風による頭痛や風邪など体の不具合が起こりやすいという欠点が解消できる。
【図面の簡単な説明】
【００１３】
【図１】従来のルーバー装置が扇風機に取付けられている立体図である。
【図２】図１に示されるルーバー装置の機能が示されている説明図である。
【図３】本考案のルーバー装置の好ましい実施形態の断面図である。
【図４】図３のルーバー装置の使用状態が示されている説明図である。
【図５】本考案のルーバー装置が用いられる送風アセンブリの構成が示されている断面図である。
【考案を実施するための形態】
【００１４】
以下に添付の図面を参照しながら、本考案のルーバー装置と、該ルーバー装置を用いる送風アセンブリの好ましい実施形態について説明する。
【００１５】
図３は本考案のルーバー装置の好ましい実施形態の断面図であり、図４は図３のルーバー装置の使用状態が示されている説明図であり、図５は本考案のルーバー装置が用いられる送風アセンブリの構成が示されている断面図である。
【００１６】
図３と図４に示されるように、本考案のルーバー装置は、風が進入側（図中の右側）から吹出し側（図中の左側）へ進行してその枠内を通過する固定枠３と、固定枠３の枠内に配置され、固定枠３の枠内を通過する風の進行方向を微調整する複数の羽板２とを有する。この実施形態において、固定枠３は例えば扇風機などの送風アセンブリに適用しやすいように、円環状に形成されている。
【００１７】
本考案のルーバー装置において、複数の羽板２は、進入側から吹出し側へ延伸する所定の軸線Ｘ、及び固定枠３の枠内にある所定の軸線Ｘと直交する所定の仮想平面Ｙを基準として、少なくとも二組に分けられ、この実施形態において、軸線Ｘは円環状に形成された固定枠３の前記円環の円心を通過する直線であり、複数の羽板２は、第１の組の羽板２１と、第２の組の羽板２２との二組に分けられている。また、所定の仮想平面Ｙにて第１の組の羽板２１と第２の組の羽板２２とは、同じ組の羽板２１／２２がそれぞれ互いに間をあけて所定の軸線Ｘから段々離れるように所定の仮想平面Ｙにて延伸する長さ方向が互いに平行に排列して固定枠３に固定されていると共に、いずれも所定の仮想平面Ｙに延伸する長さ方向と、前記長さ方向と直交し且つ進入側寄りの端縁２１１／２２１から吹出し側寄りの端縁２１２／２２２まで延伸する幅方向とを有する長尺状に形成されている。そして、所定の軸線Ｘと各羽板２との距離は、いずれも該当の羽板２の吹出し側の端縁２１２／２２２と所定の軸線Ｘとの最短距離が、該当の羽板２の進入側の端縁２１１／２２１と所定の軸線Ｘとの最短距離より長くなっている。上記第１の組の羽板２１と、第２の組の羽板２２とからなる複数の羽板２の構成によって、隣り合う２つの羽板２の間にある各隙間を通過する風を二つの方向（図中の上、下方向）に案内して吹出すことができる。
【００１８】
更に、より広い範囲で更に和らいだ風を吹出すために、各複数の羽板２それぞれの幅方向における延伸面と所定の軸線Ｘとの成す鋭角の角度と、各複数の羽板２それぞれと所定の軸線Ｘとの距離とを正の相関に設定している。つまり、各羽板２は、所定の軸線Ｘとの距離が大きくなるほど、それぞれの幅方向における延伸面と所定の軸線Ｘとのなす鋭角の角度が大きくなるように設けられている。また、本考案の効果を効率的に発揮するため、各羽板２それぞれの幅方向における延伸面と所定の軸線Ｘとの成す鋭角を、全て５°〜７５°の範囲内に設定することが好ましい。
【００１９】
この好ましい実施形態において、第1の組の羽板２１と第２の組の羽板２２は、それぞれに五枚の羽板２１／２２からなり、且つ、同じ組に属する五枚の羽板２１／２２それぞれの幅方向における延伸面と所定の軸線Ｘとの成す鋭角の角度は、所定の軸線Ｘとの距離と正の相関になっている上、それぞれ５°、１５°、３０°、４５°、６０°になるように配置構成されている。この角度構成によって、より広い範囲で更に和らいだ風を吹出すことができる。
【００２０】
また、図５に示されるように、本考案のルーバー装置を用いる送風アセンブリの好ましい実施形態は、図３、図４に示されている上記ルーバー装置と、該ルーバー装置が有する固定枠３の枠内を通過する風を生成する風生成手段４と、回転軸５１を有し、回転軸５１を回転させることによって駆動力を出力する回転駆動手段５とを有し、そして、前記ルーバー装置は、固定枠３の前記円環の円心に該当する箇所に、固定枠３と連結している取付けブロック３１を更に有すると共に、取付けブロック３１が回転駆動手段５の回転軸５１に取り付けられていて固定枠３が回転駆動手段５により回転駆動されることができる。
【００２１】
この構成により、本考案のルーバー装置を用いる送風アセンブリは、独創的な羽板配列方向を用いて風生成手段４により生成された風を二つの方向に案内して吹出し、更に、各羽板２の配列方向は同じ方向に吹出される風をさらに拡散させるように案内して吹出すことによって、従来のルーバー装置を使用するものより広い範囲で更に和らいだ風を吹出すことができる。
【００２２】
ちなみに、本考案のルーバー装置を回転駆動する回転駆動手段５は、所定の回転軸で回転するファンを有する風生成手段に適用することに限らず、例えば所定の軸線を中心として回転するファン以外の手段で風を生成する装置を風生成手段として用いる場合は、固定枠３を他の手段で所定の軸線Ｘを中心として回転自在に送風装置に取付けることも可能である。例えば、所定の軸線Ｘを中心として回転できる円環状の回転ベースなどを用いて、固定枠３を該回転ベースに取付ける構成も考えられる。その場合、取付けブロック３１を設置しなくても、同等な効果が発揮できる。
【産業上の利用可能性】
【００２３】
上記の構成によれば、本考案のルーバー装置は、独創的な羽板配列方向を用いて風を二つ以上の方向に案内して吹出すことができる、更に、本考案のルーバー装置の羽板の配列方向は同じ方向に吹出される風をさらに拡散させるように案内して吹出すことによって、従来のルーバー装置より広い範囲で更に和らいだ風を吹出すこともできる。
【００２４】
したがって、本考案は風の進行方向を少なくとも二組に分けて人体に当たる風を更に和らげ、かつ風が人に当たる間に人体から空気に転移する熱の量が、従来のルーバー装置を用いる扇風機などの送風アセンブリを使うの場合より少なくすることができるルーバー装置と該ルーバー装置を用いる送風アセンブリを提供できる。これにより、従来のルーバー装置を用いる扇風機などの送風アセンブリのような、長時間吹かれると、風による頭痛や風邪など体の不具合が起こりやすいという欠点が解消できる。
【符号の説明】
【００２５】
Ｘ  軸線
Ｙ  仮想平面
２  羽板
２１  第１の組の羽板
２２  第２の組の羽板
２１２／２２２  吹出し側の端縁
２１１／２２１  進入側の端縁
３ 固定枠
３１  取付けブロック
４  風生成手段
５  回転駆動手段
５１  回転軸
【図１】
0003189194.tif 000003
【図２】
0003189194.tif 000004
【図３】
0003189194.tif 000005
【図４】
0003189194.tif 000006
【図５】
0003189194.tif 000007